(57)【特許請求の範囲】
【請求項１】
第１段差部と第２段差部とが設けられたシリンダと、前記シリンダに内装されるとともに第１フランジ部と第２フランジ部とが設けられたノズルと、前記シリンダと前記ノズルとの間に介装されたスプリングと、前記ノズルの先端部に設けられた噴出孔と、前記ノズルに内在する第１水路と、前記第１水路に設けられるとともに前記噴出孔と連通する第１開口と、前記第１水路に連通するとともに前記第１フランジ部と前記第２フランジ部の間で前記ノズルの側面に設けられた第１給水口と、前記ノズルに内在する第２水路と、前記第２水路に設けられるとともに前記噴出孔と連通する第２開口と、前記第２水路に連通するとともに前記ノズルの後端に設けられた第２給水口と、を有し、
前記スプリングの付勢力で前記シリンダに収納された前記ノズルが水圧で前記シリンダから前進し、前記シリンダの第１段差部と前記ノズルの第１フランジ部とが当接して水密になると同時に前記シリンダの第２段差部と前記ノズルの第２フランジ部とが当接して水密になると、前記第１給水口から前記第１水路に流入した洗浄水が前記第１開口を通過して前記噴出孔の軸方向の噴出流に形成される一方、前記第２給水口から前記第２水路に流入した洗浄水が前記第２開口を通過して前記噴出孔の接線方向の噴出流に形成されることにより、前記噴出孔の軸方向の噴出流と前記噴出孔の接線方向の噴出流とを干渉させながら前記噴出孔から噴出させる衛生洗浄装置であって、
前記ノズルに挿設されることによって前記第１水路と前記第２水路とを前記ノズルの内部に形成するノズルパイプと、
前記第１開口が設けられたノズルヘッドと、
前記第２開口が設けられたノズルキャップと、を備え、
前記ノズルキャップが被嵌された状態の前記ノズルヘッドを前記ノズルの先端に嵌め込んだこと、を特徴とする衛生洗浄装置。
【請求項２】
請求項１に記載する衛生洗浄装置であって、
前記ノズルキャップに設けられた旋回羽根で前記第２開口を形成するとともに、前記ノズルヘッドに設けられたバッフル板で前記旋回羽根に流入する洗浄水の量を均一にしたこと、を特徴とする衛生洗浄装置。
【請求項３】
第１段差部と第２段差部とが設けられたシリンダと、前記シリンダに内装されるとともに第１フランジ部と第２フランジ部とが設けられたノズルと、前記シリンダと前記ノズルとの間に介装されたスプリングと、前記ノズルの先端部に設けられた噴出孔と、前記ノズルに内在する第１水路と、前記第１水路に設けられるとともに前記噴出孔と連通する第１開口と、前記第１水路に連通するとともに前記第１フランジ部と前記第２フランジ部の間で前記ノズルの側面に設けられた第１給水口と、前記ノズルに内在する第２水路と、前記第２水路に設けられるとともに前記噴出孔と連通する第２開口と、前記第２水路に連通するとともに前記ノズルの後端に設けられた第２給水口と、を有し、
前記スプリングの付勢力で前記シリンダに収納された前記ノズルが水圧で前記シリンダから前進し、前記シリンダの第１段差部と前記ノズルの第１フランジ部とが当接して水密になると同時に前記シリンダの第２段差部と前記ノズルの第２フランジ部とが当接して水密になると、前記第１給水口から前記第１水路に流入した洗浄水が前記第１開口を通過して前記噴出孔の軸方向の噴出流に形成される一方、前記第２給水口から前記第２水路に流入した洗浄水が前記第２開口を通過して前記噴出孔の接線方向の噴出流に形成されることにより、前記噴出孔の軸方向の噴出流と前記噴出孔の接線方向の噴出流とを干渉させながら前記噴出孔から噴出させる衛生洗浄装置であって、
前記ノズルに挿入されたリング状の第１シール部材と、
前記ノズルに挿入されたリング状の第２シール部材と、を備え、
前記第１シール部材又は前記第２シール部材を挟んで前記シリンダと前記ノズルとの間に前記スプリングを介装する一方、
前記シリンダの第１段差部と前記ノズルの第１フランジ部とが当接すると前記第１シール部材で水密にするとともに、前記シリンダの第２段差部と前記ノズルの第２フランジ部とが当接すると前記第２シール部材で水密にすること、を特徴とする衛生洗浄装置。
【発明の詳細な説明】
【０００１】
【発明の属する技術分野】
本発明は、人体局部を洗浄するための洗浄水をノズルに設けられた噴出孔から噴出させる衛生洗浄装置に関する。
【０００２】
【従来の技術】
本出願人は、人体局部を洗浄するための洗浄水をノズルに設けられた噴出孔から噴出させる衛生洗浄装置に関し、特願平１１−２７０１７２の特許出願において、第１開口からの噴出孔の軸方向の噴出流と第２開口からの噴出孔の接線方向の噴出流とを干渉させて噴出させる発明を提案している。そこで、先ず、特願平１１−２７０１７２の特許出願で提案された衛生洗浄装置について、図１１〜図１５を参照しながら説明する。
【０００３】
図１１に示すように、衛生洗浄装置１０は、タンク２０１の前方に配置された便座２０２と、便座２０２の上部一端に開閉自在に配置されたカバー２０３と、便座２０２の楕円形開口の後方から前方に突出して人体の局部に洗浄水を噴出するための噴出孔１１１（図１２〜図１４参照）が先端に形成されたノズル１００と、便座２０２の右横の温水タンク２０４の上部に配設されたコントロール部２０５などを備えている。
【０００４】
この点、ノズル１００は、図１２〜図１４に示すように、シリンダ１０６から当接ゴムシール１０７の協働により進退自在に突設されている。そして、ノズル１００の内部には、第１開口１１２に連通した第１水路１１４と、第２開口１１３に連通した第２水路１１５とが形成されている。また、ノズル１００の先端には、噴出孔１１１が上下方向に形成され、さらに、噴出孔１１１の内径より大きな内径の円形チャンバー１１０が噴出孔１１１に対して同軸的に形成されている。
【０００５】
そして、円形チャンバー１１０には、噴出孔１１１の軸方向の噴出流を形成する１個の第１開口１１２が開口するとともに、噴出孔１１１の接線方向の噴出流を形成する複数個の第２開口１１３が開口している。特に、複数個の第２開口１１３は、図１４に示すように、円形チャンバー１１０の内周壁に９０度毎に接線的に開口している４個の接線開口によって構成されており、円形チャンバー１１０の内部に旋回流を形成させることができる。
【０００６】
また、図１２に示すように、第１水路１１４は第１流量調整バルブ１２１に連通する一方、第２水路１１５は第２流量調整バルブ１２２に連通している。従って、第１流量調整バルブ１２１及び第２流量調整バルブ１２２を開けることにより、噴出孔１１１の軸方向の噴出流と噴出孔１１１の接線方向の噴出流とを干渉させながら、ノズル１００の先端部に設けられた噴出孔１１１から噴出させることができる。
【０００７】
もっとも、このとき、第１流量調整バルブ１２１及び第２流量調整バルブ１２２の各開度は、コントロール部２０５に接続されたコントローラ１０３の制御信号に基づいて制御される。従って、コントロール部２０５に配設された調整ツマミ１０４により、第１水路１１４及び第２水路１１５に流れる洗浄水の流量の総和を一定にした状態から、第１水路１１４及び第２水路１１５に流れる洗浄水の流量の割合を変えると、噴出孔１１１の軸方向の噴出流と噴出孔１１１の接線方向の噴出流の流量比率や干渉状態を変えることができるので、例えば、図１５に示すように、ノズル１００の先端部に設けられた噴出孔１１１から噴出される洗浄水の噴出パターン（到達高さ、洗浄荷重・強さ、洗浄面積など）を制御することができる。
【０００８】
【発明が解決しようとする課題】
しかしながら、図１３や図１４に示すように、ノズル１００の先端部の内部は、円形チャンバー１１０や、噴出孔１１１、第１開口１１２、第２開口１１３、第１水路１１４、第２水路１１５が複雑に連通した構造をしており、ノズル１００の先端部を一体的に成形するのは困難であることから、複数の部品の組み付けにより、ノズル１００の先端部の内部を構設する必要があった。
【０００９】
そこで、本発明は、上述した問題点を解決するためになされたものであり、噴出孔が設けられたノズルの先端部の内部を複数の組付部品で構設することにより、第１開口からの噴出孔の軸方向の噴出流と第２開口からの噴出孔の接線方向の噴出流とを干渉させてノズルの先端部の噴出孔から噴出させる衛生洗浄装置を提供することを第１の課題とする。
【００１０】
また、特開平１１−２７０１７２の特許出願には明記されていないが、図１１に示すように、ノズル１００を後退させてシリンダ１０６に収納させるには、図１６に示すように、ノズル１００とシリンダ１０６との間に介装されたスプリング１３０の付勢力を利用している（特開平６−８８３７０参照）。しかしながら、図１６の構造においては、スプリング１３０の一端が当接ゴムシール１０７の内側でシリンダ１０６に当接することにより、シリンダ１０６に対してスプリング１３０の付勢力を作用させているので、当接ゴムシール１０７のシール（水密）性を安定的かつ十分に確保するには、当接ゴムシール１０７の位置ずれがないようにして、当接ゴムシール１０７をシリンダ１０６に組み付ける必要があった。
【００１１】
そこで、本発明は、上述した問題点を解決するためになされたものであり、第１開口からの噴出孔の軸方向の噴出流と第２開口からの噴出孔の接線方向の噴出流とを干渉させてノズルの先端部の噴出孔から噴出させるために必要な第１シール部材又は第２シール部材に対し、その組付要求の緩和を図った衛生洗浄装置を提供することを第２の課題とする。
【００１２】
【課題を解決するための手段】
第１の課題を解決するために成された請求項１に係る発明は、第１段差部と第２段差部とが設けられたシリンダと、前記シリンダに内装されるとともに第１フランジ部と第２フランジ部とが設けられたノズルと、前記シリンダと前記ノズルとの間に介装されたスプリングと、前記ノズルの先端部に設けられた噴出孔と、前記ノズルに内在する第１水路と、前記第１水路に設けられるとともに前記噴出孔と連通する第１開口と、前記第１水路に連通するとともに前記第１フランジ部と前記第２フランジ部の間で前記ノズルの側面に設けられた第１給水口と、前記ノズルに内在する第２水路と、前記第２水路に設けられるとともに前記噴出孔と連通する第２開口と、前記第２水路に連通するとともに前記ノズルの後端に設けられた第２給水口と、を有し、前記スプリングの付勢力で前記シリンダに収納された前記ノズルが水圧で前記シリンダから前進し、前記シリンダの第１段差部と前記ノズルの第１フランジ部とが当接して水密になると同時に前記シリンダの第２段差部と前記ノズルの第２フランジ部とが当接して水密になると、前記第１給水口から前記第１水路に流入した洗浄水が前記第１開口を通過して前記噴出孔の軸方向の噴出流に形成される一方、前記第２給水口から前記第２水路に流入した洗浄水が前記第２開口を通過して前記噴出孔の接線方向の噴出流に形成されることにより、前記噴出孔の軸方向の噴出流と前記噴出孔の接線方向の噴出流とを干渉させながら前記噴出孔から噴出させる衛生洗浄装置であって、前記ノズルに挿設されることによって前記第１水路と前記第２水路とを前記ノズルの内部に形成するノズルパイプと、前記第１開口が設けられたノズルヘッドと、前記第２開口が設けられたノズルキャップと、を備え、前記ノズルキャップが被嵌された状態の前記ノズルヘッドを前記ノズルの先端に嵌め込んだこと、を特徴としている。
【００１３】
すなわち、本発明の衛生洗浄装置では、ノズルパイプが挿設されたことによってノズルの内部に第１水路と第２水路とが形成されており、かかるノズルの先端に対して、ノズルキャップが被嵌された状態のノズルヘッドを嵌め込むと、ノズルの内部の第１水路がノズルヘッドの第１開口と連通した状態となるとともに、ノズルの内部の第２水路がノズルキャップの第２開口と連通した状態となり、ノズルパイプ・ノズルヘッド・ノズルキャップの３個の組付部品により、噴出孔が設けられたノズルの先端部の内部を構設しているので、この点において、本発明の衛生洗浄装置は、噴出孔が設けられたノズルの先端部の内部を複数の組付部品で構設することにより、第１開口からの噴出孔の軸方向の噴出流と第２開口からの噴出孔の接線方向の噴出流とを干渉させてノズルの先端部の噴出孔から噴出させるものと言うことができる。
【００１４】
また、請求項２に係る発明は、請求項１に記載する衛生洗浄装置であって、前記ノズルキャップに設けられた旋回羽根で前記第２開口を形成するとともに、前記ノズルヘッドに設けられたバッフル板で前記旋回羽根に流入する洗浄水の量を均一にしたこと、を特徴としている。
【００１５】
すなわち、本発明の衛生洗浄装置では、ノズルキャップに設けられた旋回羽根で第２開口を形成するとともに、ノズルヘッドに設けられたバッフル板で旋回羽根に流入する洗浄水の量を均一にするので、第１開口からの噴出孔の軸方向の噴出流と第２開口からの噴出孔の接線方向の噴出流とを干渉させてノズルの先端部の噴出孔から噴出させる際に、第２開口からの噴出孔の接線方向の噴出流を偏りなく形成させることができる。
【００１６】
また、第２の課題を解決するために成された請求項３に係る発明は、第１段差部と第２段差部とが設けられたシリンダと、前記シリンダに内装されるとともに第１フランジ部と第２フランジ部とが設けられたノズルと、前記シリンダと前記ノズルとの間に介装されたスプリングと、前記ノズルの先端部に設けられた噴出孔と、前記ノズルに内在する第１水路と、前記第１水路に設けられるとともに前記噴出孔と連通する第１開口と、前記第１水路に連通するとともに前記第１フランジ部と前記第２フランジ部の間で前記ノズルの側面に設けられた第１給水口と、前記ノズルに内在する第２水路と、前記第２水路に設けられるとともに前記噴出孔と連通する第２開口と、前記第２水路に連通するとともに前記ノズルの後端に設けられた第２給水口と、を有し、前記スプリングの付勢力で前記シリンダに収納された前記ノズルが水圧で前記シリンダから前進し、前記シリンダの第１段差部と前記ノズルの第１フランジ部とが当接して水密になると同時に前記シリンダの第２段差部と前記ノズルの第２フランジ部とが当接して水密になると、前記第１給水口から前記第１水路に流入した洗浄水が前記第１開口を通過して前記噴出孔の軸方向の噴出流に形成される一方、前記第２給水口から前記第２水路に流入した洗浄水が前記第２開口を通過して前記噴出孔の接線方向の噴出流に形成されることにより、前記噴出孔の軸方向の噴出流と前記噴出孔の接線方向の噴出流とを干渉させながら前記噴出孔から噴出させる衛生洗浄装置であって、前記ノズルに挿入されたリング状の第１シール部材と、前記ノズルに挿入されたリング状の第２シール部材と、を備え、前記第１シール部材又は前記第２シール部材を挟んで前記シリンダと前記ノズルとの間に前記スプリングを介装する一方、前記シリンダの第１段差部と前記ノズルの第１フランジ部とが当接すると前記第１シール部材で水密にするとともに、前記シリンダの第２段差部と前記ノズルの第２フランジ部とが当接すると前記第２シール部材で水密にすること、を特徴としている。
【００１７】
このような特徴を有する本発明の衛生洗浄装置においては、第１開口からの噴出孔の軸方向の噴出流と第２開口からの噴出孔の接線方向の噴出流とを干渉させてノズルの先端部の噴出孔から噴出させる際には、シリンダの第１段差部とノズルの第１フランジ部とが当接して水密になると同時にシリンダの第２段差部とノズルの第２フランジ部とが当接して水密になるが、この点、シリンダの第１段差部とノズルの第１フランジ部との間の水密は、ノズルに挿入されたリング状の第１シール部材で確保する一方、シリンダの第２段差部とノズルの第２フランジ部との間の水密は、ノズルに挿入されたリング状の第２シール部材で確保するので、第１シール部材及び第２シール部材は、第１開口からの噴出孔の軸方向の噴出流と第２開口からの噴出孔の接線方向の噴出流とを干渉させてノズルの先端部の噴出孔から噴出させるために必要なものである。
【００１８】
また、本発明の衛生洗浄装置においては、第１シール部材又は第２シール部材を挟んでシリンダとノズルとの間にスプリングが介装されており、スプリングの付勢力によって、ノズルに挿入されたリング状の第１シール部材又は第２シール部材は、ノズルの第１フランジ部又は第２フランジ部に対して押しつけられた状態となるので、ノズルの第１フランジ部又は第２フランジ部に対して押しつけられた状態の第１シール部材又は第２シール部材の位置がずれることがない。
【００１９】
すなわち、本発明の衛生洗浄装置において、ノズルに挿入されたリング状の第１シール部材又は第２シール部材は、第１シール部材又は第２シール部材を挟んでシリンダとノズルとの間に介装されるスプリングの付勢力により、ノズルの第１フランジ部又は第２フランジ部に対して押しつけられた状態になり、第１シール部材又は第２シール部材の位置がずれることがないので、第１開口からの噴出孔の軸方向の噴出流と第２開口からの噴出孔の接線方向の噴出流とを干渉させてノズルの先端部の噴出孔から噴出させるために必要な第１シール部材又は第２シール部材に対し、その組付要求の緩和を図ったものと言うことができる。
【００２０】
また、本発明の衛生洗浄装置においては、第１シール部材又は第２シール部材を挟んでシリンダとノズルとの間にスプリングを介装することから、発明が解決しようとする課題の欄で説明したもの（第１シール部材又は第２シール部材の内側でスプリングの一端がノズルの第１フランジ部又は第２フランジ部に当接するもの）と比べて、ノズルを内装したシリンダの外径寸法を小さくすることができる。
【００２１】
【発明の実施の形態】
以下、本発明の実施の形態を図面を参照にして説明する。本実施の形態の衛生洗浄装置は、従来技術の欄で説明した図１１の衛生洗浄装置１０において、ノズル１００とシリンダ１０６を改良したものである。そこで、本欄においては、同一の構成については、同一の符号を付して説明を省略し、異なった点を中心に説明する。
【００２２】
本実施の形態の衛生洗浄装置においては、図１に示すように、第１段差部３３と第２段差部３４とが設けられたシリンダ１７と、シリンダ１７に内装されるとともに第１フランジ部３０と第２フランジ部３５とが設けられたノズル１６と、シリンダ１７とノズル１６との間に介装されたスプリング１８と、ノズル１６の先端部に設けられた噴出孔３１などを有している。
【００２３】
この点、ノズル１６には、リング状の第１シール部材１９及び第２シール部材２０が挿入されており、特に、第１シール部材１９については、ノズル１６との間に隙間があり、さらに、スプリング１８の一端が当接することにより、ノズル１６の第１フランジ部３０に常に押しつけられている。
また、ノズル１６の内部には、ノズルパイプ２４、ノズルヘッド４０、ノズルキャップ６０などの組付部品が組み込まれている。
【００２４】
ここで、ノズルパイプ２４について説明すると、図１に示すように、ノズル１６に挿設されることにより、ノズル１６の内部をいわゆる二重管構造とするものであり、ノズル１６とノズルパイプ２４の間を第１水路２９として、ノズルパイプ２４の中を第２水路２５として使用される。
【００２５】
また、ノズルヘッド４０について、図６の正面図、図７の中心断面図、図８の裏面図、図９の側面図を参照にして説明すると、先端面には、引出ツマミ部４６が形成され、裏面には、ガイド部４７が形成されている。一方、ノズルヘッド４０の内部は、図６及び図７に示すように、第１水路４２と、第２水路４１、チャンバー部４５、第２水路４１とチャンバー部４５との間に設けられたバッフル板４３、第１水路４２とチャンバー部４５との間に設けられた第１開口４４などで構成されている。
【００２６】
さらに、ノズルキャップ６０について、図３の正面図、図４の裏面図、図５の中心断面図を参照にして説明すると、裏面には、５枚の旋回羽根６２が形成されており、各旋回羽根６２の間を第２開口６３として使用される。また、５枚の旋回羽根６２の中心には、通過口６１が形成されている。
【００２７】
そして、ノズルキャップ６０は、図２に示すようにして、ノズルヘッド４０に被せるように嵌め込まれる。このとき、ノズルキャップ６０の旋回羽根６２はノズルヘッド４０のチャンバー部４５の内部に位置する。また、ノズルキャップ６０の通過口６１は、ノズルヘッド４０の第１開口４４の軸線上に位置する。また、図１０の断面図でも示すように、ノズルキャップ６０の旋回羽根６２とノズルヘッド４０の第２水路４１の間には、ノズルヘッド４０のバッフル板４３が介在する。
【００２８】
さらに、ノズルキャップ６０を被嵌したノズルヘッド４０は、図２から図１に示すようにして、ノズルヘッド４０のガイド部４７とノズル１６のガイド溝３２で案内されながら、ノズル１６の先端に嵌め込まれる。このとき、図１に示すように、ノズルキャップ６０の通過口６１は、ノズル１６の噴出孔３１と重なり合う。また、ノズルヘッド４０の第２水路４１には、ノズルパイプ２４の先端が差し込まれるので、ノズル１６の第１水路２９とノズルヘッド４０の第１水路４２とが連通するとともに、ノズル１６の第２水路２５とノズルヘッド４０の第２水路４１とが連通する。
【００２９】
従って、本実施の形態の衛生洗浄装置では、図１に示すように、ノズルパイプ２４、ノズルヘッド４０、ノズルキャップ６０などの組付部品をノズル１６の内部に組み込むことにより、第１水路２９，４２と、第１水路２９，４２に設けられるとともに噴出孔３１と連通する第１開口４４と、第２水路２５，４１と、第２水路２５，４１に設けられるとともに噴出孔３１と連通する第２開口６３とを、ノズル１６の内部に備えることができる。
【００３０】
また、本実施の形態の衛生洗浄装置では、図１に示すように、第１水路２９，４１に連通するとともに第１フランジ部３０と第２フランジ部３５の間でノズル１６の側面に設けられた第１給水口２８と、第２水路２５，４１に連通するとともにノズル１６の後端（バルブ座面２３）に設けられた第２給水口３６とを、ノズル１６の内部に備えている。
【００３１】
よって、本実施の形態の衛生洗浄装置では、コントロール部２０５の操作スイッチにより、コントローラ１０３から信号が送られると、流量調節弁１２１が開き、水路１５を介して洗浄水がシリンダ１７に送水されるため、スプリング１８の付勢力でシリンダ１７に収納されたノズル１６が洗浄水の水圧でシリンダ１７から前進し、図１に示す洗浄位置にまで移動する。このとき、シリンダ１７の第１段差部３３とノズル１６の第１フランジ部３０とが第１シール部材１９を介して当接して水密になり、シリンダ１７の第２段差部３４とノズル１６の第２フランジ部３５とが第２シール部材２０を介して当接して水密になる。
【００３２】
そして、シリンダ１７に送水された洗浄水は、バルブバネ２１に抗してバルブ２２を開放するので、バルブ座面２３の第２給水口３６を介して、ノズルパイプ２４の中の第２水路２５に流入する。また、同様にして、コントローラ１０３から信号に基づいて、流量調節弁１２２が開き、水路２６を介して別の洗浄水がシリンダ１７の空間２７に送水されるため、シリンダ１７に送水された別の洗浄水は、ノズル１６の側面の第１給水口２８を介して、ノズル１６とノズルパイプ２４の間の第１水路２９に流入する。
【００３３】
そして、ノズル１６とノズルパイプ２４の間の第１水路２９に流入した洗浄水は、ノズルヘッド４０の第１水路４２を介して、ノズルヘッド４０の第１開口４４を通過し、噴出孔３１の軸方向の噴出流に形成される。一方、ノズルパイプ２４の中の第２水路２５に流入した洗浄水は、ノズルヘッド４０の第２水路４１を介して、ノズルキャップ６０の第２開口６３を通過し、噴出孔３１の接線方向の噴出流に形成される。さらに、噴出孔３１の軸方向の噴出流と噴出孔３１の接線方向の噴出流は、ノズルヘッド４０のチャンバー部４５（図２参照）で干渉し、ノズルキャップ６０の通過口６１を介して、ノズル１６の噴出孔３１から噴出されて、人体局部の洗浄に供される。
【００３４】
もっとも、このとき、第１流量調整バルブ１２１及び第２流量調整バルブ１２２の各開度は、コントロール部２０５に接続されたコントローラ１０３の制御信号に基づいて制御される。従って、コントロール部２０５に配設された調整ツマミ１０４により、第１水路２９，４２及び第２水路２５，４１に流れる洗浄水の流量の総和を一定にした状態から、第１水路２９，４２及び第２水路２５，４１に流れる洗浄水の流量の割合を変えると、噴出孔３１の軸方向の噴出流と噴出孔３１の接線方向の噴出流の流量比率や干渉状態を変えることができるので、例えば、従来技術の欄で既に説明した図１５に示すように、ノズル１６の先端部に設けられた噴出孔３１から噴出される洗浄水の噴出パターン（到達高さ、洗浄荷重・強さ、洗浄面積など）を制御することができる。
【００３５】
尚、図１に示すように、ノズルキャップ６０の通過口６１は、ノズル１６の噴出孔３１と重なり合っているが、この点、ノズルキャップ６０の通過口６１の周囲は、ノズル１６の噴出孔３１の周囲に含まれる。従って、噴出孔３１の軸方向の噴出流と噴出孔３１の接線方向の噴出流は、ノズルキャップ６０の通過口６１を通過した後に、ノズル１６の噴出孔３１の周囲に衝突して乱れるようなことはない。
【００３６】
以上詳細に説明したように、本実施の形態の衛生洗浄装置では、図１に示すように、ノズルパイプ２４が挿設されたことによってノズル１６の内部に第１水路２９と第２水路２５とが形成されており、かかるノズル１６の先端に対して、ノズルキャップ６０が被嵌された状態のノズルヘッ４０を嵌め込むと、ノズル１６の内部の第１水路２９が、ノズルヘッド４０の第１水路４２を介して、ノズルヘッド４０の第１開口４４と連通した状態となるとともに、ノズル１６の内部の第２水路２５が、ノズルヘッド４０の第２水路４１を介して、ノズルキャップ６０の第２開口６３と連通した状態となる。
【００３７】
従って、ノズルパイプ２４・ノズルヘッド４０・ノズルキャップ６０の３個の組付部品により、噴出孔３１が設けられたノズル１６の先端部の内部を構設しているので、この点において、本実施の形態の衛生洗浄装置は、噴出孔３１が設けられたノズル１６の先端部の内部を複数の組付部品で構設することにより、第１開口４４からの噴出孔３１の軸方向の噴出流と第２開口６３からの噴出孔３１の接線方向の噴出流とを干渉させてノズル１６の先端部の噴出孔３１から噴出させるものと言うことができる。
【００３８】
また、本実施の形態の衛生洗浄装置では、図１０に示すように、ノズルキャップ６０に設けられた各旋回羽根６２の間で第２開口６３を形成するとともに、ノズルヘッド４０に設けられたバッフル板４３で旋回羽根６２に流入する洗浄水の量を均一にするので、第１開口４４からの噴出孔３１の軸方向の噴出流と第２開口６３からの噴出孔３１の接線方向の噴出流とを干渉させてノズル１６の先端部の噴出孔３１から噴出させる際に、第２開口６３からの噴出孔３１の接線方向の噴出流を偏りなく形成させることができる。
【００３９】
また、本実施の形態の衛生洗浄装置において、第１開口４４からの噴出孔３１の軸方向の噴出流と第２開口６３からの噴出孔３１の接線方向の噴出流とを干渉させてノズル１６の先端部の噴出孔３１から噴出させる際には、図１に示すように、シリンダ１７の第１段差部３３とノズル１６の第１フランジ部３０とが当接して水密になると同時にシリンダ１７の第２段差部３４とノズル１６の第２フランジ部３５とが当接して水密になる。
【００４０】
この点、シリンダ１７の第１段差部３３とノズル１６の第１フランジ部３０との間の水密は、ノズル１６に挿入されたリング状の第１シール部材１９で確保する一方、シリンダ１７の第２段差部３４とノズル１６の第２フランジ部３５との間の水密は、ノズル１６に挿入されたリング状の第２シール部材２０で確保するが、これらの水密は、第１開口４４へ送水される洗浄水の水量や第２開口６３へ送水される洗浄水の水量における制御偏差をなくし、第１開口４４からの噴出孔３１の軸方向の噴出流と第２開口６３からの噴出孔３１の接線方向の噴出流との干渉に悪影響が生じないようにするためである。従って、第１シール部材１９及び第２シール部材２０は、第１開口４４からの噴出孔３１の軸方向の噴出流と第２開口６３からの噴出孔３１の接線方向の噴出流とを干渉させてノズル１６の先端部の噴出孔３１から噴出させるために必要なものである。
【００４１】
また、本実施の形態の衛生洗浄装置においては、第１シール部材１９を挟んでシリンダ１７の前端面とノズル１６の第１フランジ部３０との間にスプリング１８が介装されており、スプリング１８の付勢力によって、ノズル１６に挿入されたリング状の第１シール部材１９は、ノズル１６の第１フランジ部３０に対して押しつけられた状態となるので、ノズル１６の第１フランジ部３０に対して押しつけられた状態の第１シール部材１９の位置がずれることがない。
【００４２】
すなわち、本実施の形態の衛生洗浄装置において、ノズル１６に挿入されたリング状の第１シール部材１９は、第１シール部材１９を挟んでシリンダ１７の前端面とノズル１６の第１フランジ部３０との間に介装されるスプリング１８の付勢力により、ノズル１６の第１フランジ部３０に対して押しつけられた状態になる。従って、第１シール部材１９は、ノズル１６に対して隙間を設けた状態で挿入されても、その位置がずれることがない。よって、本実施の形態の衛生洗浄装置は、第１開口４４からの噴出孔３１の軸方向の噴出流と第２開口６３からの噴出孔３１の接線方向の噴出流とを干渉させてノズル１６の先端部の噴出孔３１から噴出させるために必要な第１シール部材１９に対し、その組付要求の緩和を図ったものと言うことができる。
【００４３】
また、本実施の形態の衛生洗浄装置においては、第１シール部材１９を挟んでシリンダ１７の前端面とノズル１６の第１フランジ部３０との間にスプリング１８を介装することから、発明が解決しようとする課題の欄で説明した図１６の構造のもの（すなわち、第１シール部材１９又は第２シール部材２０の内側でスプリング１８の一端がノズル１６の第１フランジ部３０又は第２フランジ部３５に当接する構造のもの）と比べて、ノズル１６を内装したシリンダ１７の外径寸法を小さくすることができる。
【００４４】
尚、本発明は上記実施の形態に限定されるものでなく、その趣旨を逸脱しない範囲で様々な変更が可能である。
例えば、本実施の形態の衛生洗浄装置においては、第１シール部材１９を挟んでシリンダ１７の前端面とノズル１６の第１フランジ部３０との間にスプリング１８を介装しているが、第２シール部材２０を挟んでシリンダ１７の第１段差３３とノズル１６の第２フランジ部３５との間にスプリング１８を介装しても、上述した効果を得ることができる。
【００４５】
【発明の効果】
本発明の衛生洗浄装置では、ノズルパイプが挿設されたことによってノズルの内部に第１水路と第２水路とが形成されており、かかるノズルの先端に対して、ノズルキャップが被嵌された状態のノズルヘッドを嵌め込むと、ノズルの内部の第１水路がノズルヘッドの第１開口と連通した状態となるとともに、ノズルの内部の第２水路がノズルキャップの第２開口と連通した状態となり、ノズルパイプ・ノズルヘッド・ノズルキャップの３個の組付部品により、噴出孔が設けられたノズルの先端部の内部を構設しているので、この点において、本発明の衛生洗浄装置は、噴出孔が設けられたノズルの先端部の内部を複数の組付部品で構設することにより、第１開口からの噴出孔の軸方向の噴出流と第２開口からの噴出孔の接線方向の噴出流とを干渉させてノズルの先端部の噴出孔から噴出させるものと言うことができる。
【００４６】
また、本発明の衛生洗浄装置において、ノズルに挿入されたリング状の第１シール部材又は第２シール部材は、第１シール部材又は第２シール部材を挟んでシリンダとノズルとの間に介装されるスプリングの付勢力により、ノズルの第１フランジ部又は第２フランジ部に対して押しつけられた状態になり、第１シール部材又は第２シール部材の位置がずれることがないので、第１開口からの噴出孔の軸方向の噴出流と第２開口からの噴出孔の接線方向の噴出流とを干渉させてノズルの先端部の噴出孔から噴出させるために必要な第１シール部材又は第２シール部材に対し、その組付要求の緩和を図ったものと言うことができる。
【００４７】
また、本発明の衛生洗浄装置においては、第１シール部材又は第２シール部材を挟んでシリンダとノズルとの間にスプリングを介装することから、発明が解決しようとする課題の欄で説明したもの（第１シール部材又は第２シール部材の内側でスプリングの一端がノズルの第１フランジ部又は第２フランジ部に当接するもの）と比べて、ノズルを内装したシリンダの外径寸法を小さくすることができる。
【図面の簡単な説明】
【図１】本発明の衛生洗浄装置の要部を示す断面図である。
【図２】本発明の衛生洗浄装置のノズル先端部の組付構造を示す断面図である。
【図３】本発明の衛生洗浄装置のノズルキャップの正面図である。
【図４】本発明の衛生洗浄装置のノズルキャップの裏面図である。
【図５】本発明の衛生洗浄装置のノズルキャップの中心断面図である。
【図６】本発明の衛生洗浄装置のノズルヘッドの正面図である。
【図７】本発明の衛生洗浄装置のノズルヘッドの中心断面図である。
【図８】本発明の衛生洗浄装置のノズルヘッドの裏面図である。
【図９】本発明の衛生洗浄装置のノズルヘッドの側面図である。
【図１０】本発明の衛生洗浄装置のノズルヘッドの断面図であって、ノズルキャップが被嵌されたときのチャンバー部を示したものである。
【図１１】衛生洗浄装置の斜視図である。
【図１２】従来技術の衛生洗浄装置の要部を示す断面図である。
【図１３】従来技術の衛生洗浄装置のノズル先端部を示す断面図である。
【図１４】従来技術の衛生洗浄装置のノズル先端部を図１３の線Ａ−Ａで切断した断面図である。
【図１５】従来技術の衛生洗浄装置の洗浄水の噴出パターンを示す図である。
【図１６】従来技術の衛生洗浄装置のスプリングの介装状態を示す図である。
【符号の説明】
１０  衛生洗浄装置
１６  ノズル
１７  シリンダ
１８  スプリング
１９  第１シール部材
２０  第２シール部材
２４  ノズルパイプ
２５、４１  第２水路
２８  第１給水口
２９、４２  第１水路
３０  ノズルの第１フランジ部
３１  ノズルの噴出孔
３３  シリンダの第１段差部
３４  シリンダの第２段差部
３５  ノズルの第２フランジ部
３６  第２給水口
４０  ノズルヘッド
４３  バッフル板
４４  第１開口
６０  ノズルキャップ
６２  旋回羽根
６３  第２開口
【図１】
0004366879.tif 000002
【図２】
0004366879.tif 000003
【図３】
0004366879.tif 000004
【図４】
0004366879.tif 000005
【図５】
0004366879.tif 000006
【図６】
0004366879.tif 000007
【図７】
0004366879.tif 000008
【図８】
0004366879.tif 000009
【図９】
0004366879.tif 000010
【図１０】
0004366879.tif 000011
【図１１】
0004366879.tif 000012
【図１２】
0004366879.tif 000013
【図１３】
0004366879.tif 000014
【図１４】
0004366879.tif 000015
【図１５】
0004366879.tif 000016
【図１６】
0004366879.tif 000017